(57)【要約】【課題】安定した防水性能を確保することができるカーテンウォールを提供する。【解決手段】カーテンウォール１０では、上横材２０ａ及び下横材２０ｃはそれぞれ、その室外側面２６ａに排水孔３４を有し、中間横材２０ｂは、その室外側面４０ａに空気導入孔４６を有する。この際、下横材２０ｃの排水孔３４及び中間横材２０ｂの空気導入孔４６は、縦材となる方立１８の内部空間を通して空気が流通可能に連通している。そして、中間横材２０ｂには、空気導入孔４６から内部に流入した水が方立１８の内部に流入することを防止する止水部材となるセッティングブロック４４が設けられている。【選択図】図４
2017101489.tif 000002
【特許請求の範囲】
【請求項１】
左右の縦材間に亘るように上横材、中間横材及び下横材を上下方向で順に設けると共に、前記上横材と前記中間横材との間にビジョン部が形成され、前記中間横材と前記下横材との間にスパンドレル部が形成されたカーテンウォールであって、
前記上横材及び前記下横材はそれぞれ、その室外側面に排水孔を有し、
前記中間横材は、その室外側面に空気導入孔を有し、
前記下横材の排水孔及び前記中間横材の空気導入孔は、前記縦材の内部空間を通して空気が流通可能に連通しており、
前記中間横材には、前記空気導入孔から内部に流入した水が前記縦材の内部に流入することを防止する止水部材が設けられていることを特徴とするカーテンウォール。
【請求項２】
請求項１記載のカーテンウォールにおいて、
前記中間横材には、前記ビジョン部に配設される面材の下縁部が配置される面材配置溝が形成されると共に、該面材配置溝に前記空気導入孔が連通しており、
前記止水部材として、前記面材配置溝に設置され、前記面材の下端面を支持するセッティングブロックを兼用したことを特徴とするカーテンウォール。
【請求項３】
請求項２記載のカーテンウォールにおいて、
前記セッティングブロックは、前記面材の下端面を支持する面材支持部と、
前記面材支持部から見込み方向に突出するように設けられた止水部とを有し、
前記面材支持部と前記止水部とにより、前記面材配置溝における前記面材支持部の頂面よりも低位置となる部分が塞がれていることを特徴とするカーテンウォール。
【請求項４】
請求項３記載のカーテンウォールにおいて、
前記止水部の頂面は、前記面材支持部の頂面よりも低く形成されていることを特徴とするカーテンウォール。
【請求項５】
請求項１〜４のいずれか１項に記載のカーテンウォールにおいて、
前記空気導入孔の下縁部は、前記止水部材の頂面よりも低位置にあることを特徴とするカーテンウォール。
【請求項６】
請求項１〜５のいずれか１項に記載のカーテンウォールにおいて、
前記上横材及び前記下横材と前記縦材との間の接合部には該縦材の長手方向での水の流通を防止する止水材が配設される一方、前記中間横材と前記縦材との接合部では該縦材の長手方向での水の流通が許容されていることを特徴とするカーテンウォール。
【発明の詳細な説明】
【技術分野】
【０００１】
本発明は、建物の外壁を構成するカーテンウォールに関する。
【背景技術】
【０００２】
一般に建物の外壁は、床と天井との間の居室空間と対向する窓部となるビジョン部と、下の階の天井と上の階の床との間に形成された上下階の境界部分の空間に対向する腰パネルとなるスパンドレル部とが上下方向に交互に連続することで構成されている。
【０００３】
特許文献１には、枠体の内部を等圧空間に形成することで防水性能を確保したユニット型のカーテンウォールが開示されている。ユニット型のカーテンウォールは、予め四周を枠材によって枠組みしたユニットを形成しておき、このユニットを施工現場で組み付けるものである。
【先行技術文献】
【特許文献】
【０００４】
【特許文献１】特開２００２−２９４９１２号公報
【発明の概要】
【発明が解決しようとする課題】
【０００５】
上記のようなユニット型のカーテンウォールとは異なり、施工現場で建物の躯体に対して各部材を順に組み付ける、いわゆるノックダウン型のカーテンウォールもある。このノックダウン型は、施工現場で建物の躯体に対して縦材となる方立を取り付けた後、各方立間に無目となる横材を連結して枠体を形成し、その内側にガラスやパネル等の面材を取り付けるものである。
【０００６】
このように、ノックダウン型のカーテンウォールは施工現場で各部材を組み付けるため、各部材の組付け誤差がユニット型よりも大きい傾向にある。このため、上記特許文献１のユニット型のような安定した防水性能を確保することが難しく、安定した防水性能を確保できる構成が求められている。
【０００７】
本発明は、上記従来技術の課題を考慮してなされたものであり、安定した防水性能を確保することができるカーテンウォールを提供することを目的とする。
【課題を解決するための手段】
【０００８】
本発明に係るカーテンウォールは、左右の縦材間に亘るように上横材、中間横材及び下横材を上下方向で順に設けると共に、前記上横材と前記中間横材との間にビジョン部が形成され、前記中間横材と前記下横材との間にスパンドレル部が形成されたカーテンウォールであって、前記上横材及び前記下横材はそれぞれ、その室外側面に排水孔を有し、前記中間横材は、その室外側面に空気導入孔を有し、前記下横材の排水孔及び前記中間横材の空気導入孔は、前記縦材の内部空間を通して空気が流通可能に連通しており、前記中間横材には、前記空気導入孔から内部に流入した水が前記縦材の内部に流入することを防止する止水部材が設けられていることを特徴とする。
【０００９】
このような構成によれば、上横材及び下横材に排水孔を設けると共に中間横材に空気導入孔を設け、下横材の排水孔と中間横材の空気導入孔とを空気を流通可能に連通させている。このため、上横材、中間横材及び下横材の内部空間が等圧に近い状態となり、排水孔からの排水が促進される。しかも、中間横材には、空気導入孔から内部に流入した水が縦材の内部に流入することを防止する止水部材を設けている。その結果、空気導入孔から中間横材内に浸入した雨水等が縦材側に流入することが防止される。これにより、中間横材に外気を導入して排水孔からの排水を促進するための空気導入孔を設けつつも、雨水等が当該カーテンウォールの内部に浸入して室内側に漏れることが防止され、安定した防水性能が確保される。
【００１０】
本発明に係るカーテンウォールにおいて、前記中間横材には、前記ビジョン部に配設される面材の下縁部が配置される面材配置溝が形成されると共に、該面材配置溝に前記空気導入孔が連通しており、前記止水部材として、前記面材配置溝に設置され、前記面材の下端面を支持するセッティングブロックを兼用した構成としてもよい。そうすると、面材の下端面を支持するセッティングブロックを止水部材として兼用することができる。これにより、止水部材を別途準備して設置するための部品コストやその設置コストを削減できる。
【００１１】
本発明に係るカーテンウォールにおいて、前記セッティングブロックは、前記面材の下端面を支持する面材支持部と、前記面材支持部から見込み方向に突出するように設けられた止水部とを有し、前記面材支持部と前記止水部とにより、前記面材配置溝における前記面材支持部の頂面よりも低位置となる部分が塞がれた構成であってもよい。そうすると、セッティングブロックによって面材配置溝を確実に塞いで水の流通を阻止することができる。
【００１２】
本発明に係るカーテンウォールにおいて、前記止水部の頂面は、前記面材支持部の頂面よりも低く形成された構成であってもよい。そうすると、止水部材となるセッティングブロックを介して面材配置溝内に貯留された水が嵩を増した場合には先に止水部を乗り越えるため、面材支持部の頂面上に配置されている面材やそのシールが浸水することがない。このため、例えば面材を網入りガラスや複層ガラスで構成した場合にその網や接着剤が浸水し、不具合を生じることを回避できる。
【００１３】
本発明に係るカーテンウォールにおいて、前記空気導入孔の下縁部は、前記止水部材の頂面よりも低位置にある構成であってもよい。そうすると、面材配置溝内に止水部を乗り越えるような量の水が貯留されること自体が回避される。
【００１４】
本発明に係るカーテンウォールにおいて、前記上横材及び前記下横材と前記縦材との間の接合部には該縦材の長手方向での水の流通を防止する止水材が配設される一方、前記中間横材と前記縦材との接合部では該縦材の長手方向での水の流通が許容された構成であってもよい。そうすると、ノックダウン型の構成でありながらも上横材、中間横材及び下横材の内部空間を等圧に近い状態にでき、排水孔からの排水を促進することができる。
【発明の効果】
【００１５】
本発明によれば、中間横材に外気を導入して排水孔からの排水を促進するための空気導入孔を設けつつも、雨水等が当該カーテンウォールの内部に浸入して室内側に漏れることが防止され、安定した防水性能が確保される。
【図面の簡単な説明】
【００１６】
【図１】図１は、本発明の一実施形態に係るカーテンウォールを備えた建物を室外側から見た要部拡大正面図である。
【図２】図２は、図１に示す建物のカーテンウォール付近での縦断面図である。
【図３】図３は、上横材付近を拡大した縦断面図である。
【図４】図４は、中間横材付近を拡大した縦断面図である。
【図５】図５は、方立と上横材の接合部付近を拡大した横断面図である。
【図６】図６は、方立と中間横材の接合部付近を拡大した横断面図である。
【図７】図７は、中間横材を室外側から見た模式図である。
【図８】図８は、中間横材付近を拡大した一部切欠き斜視図である。
【図９】図９は、下横材付近を拡大した一部切欠き斜視図である。
【発明を実施するための形態】
【００１７】
以下、本発明に係るカーテンウォールについて好適な実施の形態を挙げ、添付の図面を参照しながら詳細に説明する。
【００１８】
図１は、本発明の一実施形態に係るカーテンウォール１０を備えた建物１２を室外側から見た要部拡大正面図であり、図２は、図１に示す建物１２のカーテンウォール１０付近での縦断面図である。
【００１９】
図１及び図２に示すように、カーテンウォール１０はスパンドレル部１０ａとビジョン部１０ｂとを上下に並べて建物１２の外壁を構成したものである。スパンドレル部１０ａ及びビジョン部１０ｂはそれぞれ左右方向に並んで配置されると共に、上下方向には交互に配置されている。
【００２０】
建物１２は、躯体に取り付けた床スラブ上に床板を設けた床１４と、床スラブの下面側に吊下げ支持された天井１６とを有する。建物１２は、床１４の下面と天井１６の上面との間が上下階の境界部分１２ａとなり、天井１６の下面と床１４の上面との間が居室空間１２ｂとなる。
【００２１】
カーテンウォール１０は、スパンドレル部１０ａが境界部分１２ａと対向して該境界部分１２ａの外壁となり、ビジョン部１０ｂが居室空間１２ｂと対向して該居室空間１２ｂの外壁となる。カーテンウォール１０は、建物１２の躯体に固定され、左右方向に並設される方立（縦材）１８と、左右の方立１８，１８間に亘るように設けられて上下方向に順に並んだ上横材２０ａ、中間横材２０ｂ及び下横材２０ｃとを備える。
【００２２】
方立１８は、建物１２の上下方向に沿って延在し、左右方向に所定間隔を介して複数並設される縦材である。上横材２０ａは、左右の方立１８，１８間に亘って連結され、上階側のスパンドレル部１０ａと下階側のビジョン部１０ｂとの間の境界となる無目材である。下横材２０ｃは上横材２０ａと実質的に同一であり、左右の方立１８，１８間に亘って連結され、上階側のスパンドレル部１０ａと下階側のビジョン部１０ｂとの間の境界となる無目材である。中間横材２０ｂは、上下方向で上横材２０ａと下横材２０ｃとの間となる位置で左右の方立１８，１８間に亘って連結され、上階側のビジョン部１０ｂと下階側のスパンドレル部１０ａとの間の境界となる無目材である。方立１８及び各横材２０ａ〜２０ｃは、例えばアルミニウム等の金属の押出形材である。
【００２３】
上横材２０ａと中間横材２０ｂと左右の方立１８，１８とで囲まれた枠状部分に面材であるガラス２２を取り付けることでビジョン部１０ｂが形成される。中間横材２０ｂと下横材２０ｃと左右の方立１８，１８とで囲まれた部分に枠状面材であるパネル２４を取り付けることでスパンドレル部１０ａが形成される。
【００２４】
このようなカーテンウォール１０は、施工現場で建物１２の躯体に方立１８を取り付けた後、各横材２０ａ〜２０ｃを取り付けてからガラス２２やパネル２４を取り付ける手順で施工される、いわゆるノックダウン型の構造である。
【００２５】
図３は、上横材２０ａ（又は下横材２０ｃ）付近を拡大した縦断面図であり、図４は、中間横材２０ｂ付近を拡大した縦断面図である。また、図５は、方立１８と上横材２０ａ（又は下横材２０ｃ）の接合部付近を拡大した横断面図であり、図６は、方立１８と中間横材２０ｂの接合部付近を拡大した横断面図である。図７は、中間横材２０ｂを室外側から見た模式図である。
【００２６】
図３に示すように、上横材２０ａは、見込み面にパネル２４が配置される上向き凹形状の面材配置溝２６を上面側に有し、見込み面にガラス２２が配置される下向き凹形状の面材配置溝２８を下面側に有する。下横材２０ｃは上横材２０ａと同一構造であるため、上横材２０ａと同一の符号を付してその詳細な説明を省略する。
【００２７】
なお、本出願において、見込み方向とはカーテンウォール１０の室内外方向（図中に矢印Ｚで示す方向）をいい、見込み面とは見込み方向に沿って延在する平面をいう。また、見付け方向とは見込み方向に直交する方向であり、上下方向に長尺な方立１８等の場合はその長手方向である上下方向（図中に矢印Ｙで示す方向）をいい、左右方向に長尺な各横材２０ａ〜２０ｃ等の場合はその長手方向である左右方向（図中に矢印Ｘで示す方向）をいう。さらに、見付け面とは見付け方向に沿った平面をいう。
【００２８】
面材配置溝２６は、パネル２４の下縁部が挿入配置される部分である。面材配置溝２６は、その底面となる見込み面に設けたセッティングブロック３０を介してパネル２４を支持するものである。面材配置溝２６の開口とパネル２４の下縁部室内外両側面との間の隙間はシール材３２やタイト材３３等によって塞がれる。セッティングブロック３０は、樹脂やゴム等によって構成された定形のブロック体であり、その頂面でパネル２４の下端面を支持するものである。
【００２９】
面材配置溝２６の室外側見付け面である室外側面２６ａには、排水孔３４が開口形成されている。排水孔３４は、シール材３２等で塞ぎ切れずに面材配置溝２６内に入り込んだ雨水等を外部に排出するための孔部である。図１に示すように、排水孔３４は上横材２０ａの左右両端部よりも多少内側となる位置に左右一対形成されている。
【００３０】
面材配置溝２８は、ガラス２２の上縁部が挿入配置される部分である。面材配置溝２８は、上横材２０ａの室外側見付け面に装着された押縁材３６と上横材２０ａとの間でガラス２２を保持するものである。面材配置溝２８の開口とガラス２２の上縁部室内外両側面との間の隙間はシール材３２等によって塞がれる。上横材２０ａの室外側見付け面にはカバー材３８が装着されている。カバー材３８は、排水孔３４や押縁材３６等を外観上で隠すものである。
【００３１】
図４に示すように、中間横材２０ｂは、見込み面にガラス２２が配置される上向き凹形状の面材配置溝４０を上面側に有し、見込み面にパネル２４が配置される下向き凹形状の面材配置溝４２を下面側に有する。
【００３２】
面材配置溝４０は、ガラス２２の下縁部が挿入配置される部分である。面材配置溝４０は、その底面となる見込み面に設けたセッティングブロック（止水部材）４４を介してガラス２２の下端部を支持するものである。面材配置溝４０の開口とガラス２２の下縁部室内外両側面との間の隙間はシール材３２等によって塞がれる。
【００３３】
セッティングブロック４４は、樹脂やゴム等によって構成されて面材配置溝４０の左右両端側に一対配置された定形のブロック体である。セッティングブロック４４は、その頂面４４ｃでガラス２２の下端面を支持する面材支持部４４ａと、面材支持部４４ａから見込み方向で室内側に突出するように設けられた止水部４４ｂとを有する。
【００３４】
セッティングブロック４４は、見込み方向で室外側から室内側に向かって低くなる段付き形状であり、面材支持部４４ａよりも止水部４４ｂが一段低く形成されている。これにより、面材配置溝４０内における止水部４４ｂの上方には、該面材配置溝４０の見付け方向に空気を流通可能な空間Ｓが大きく確保されている。止水部４４ｂは、その上方に空気を流通可能な空間Ｓを確保可能であれば面材支持部４４ａと同一高さに設定されてもよい。
【００３５】
面材配置溝４０の室外側見付け面である室外側面４０ａには、空気導入孔４６が開口形成されている。空気導入孔４６は、外気を中間横材２０ｂの内部である面材配置溝４０へと導入するための孔部である。空気導入孔４６から導入された空気は、セッティングブロック４４の側方から空間Ｓを見付け方向に流れ、止水部４４ｂの上方を通って方立１８側へと流通する。空気導入孔４６の下縁部４６ａは、セッティングブロック４４の止水部４４ｂの頂面４４ｄよりも低位置に設定されている。図１に示すように、空気導入孔４６は中間横材２０ｂの左右両端部よりも多少内側となる位置に左右一対形成されている。
【００３６】
図４から明らかな通り、面材支持部４４ａと止水部４４ｂとにより、面材配置溝４０における面材支持部４４ａの頂面４４ｃよりも低位置となる部分が塞がれている。その結果、空気導入孔４６から面材配置溝４０に入り込んだ雨水等は、面材支持部４４ａと止水部４４ｂとによって止水され、止水部４４ｂの頂面を越えない限りは見付け方向でセッティングブロック４４の側方には流通しない。この際、図７に示すように、中間横材２０ｂでは、面材配置溝４０の左右端部付近にそれぞれ配置されたセッティングブロック４４，４４の間に挟まれた位置に左右一対の空気導入孔４６，４６を形成している。換言すれば一対の空気導入孔４６，４６のそれぞれの外側となる位置にそれぞれセッティングブロック４４が配置されている。このため、各空気導入孔４６から面材配置溝４０内に流入した雨水等は、左右のセッティングブロック４４，４４間では流通するものの、その外側の方立１８側に流通することが防止されている。一方、各空気導入孔４６から流入した外気は、セッティングブロック４４の止水部４４ｂの上方にある空間Ｓを通過して方立１８側に流入することができる。
【００３７】
面材配置溝４２は、パネル２４の上縁部が挿入配置される部分である。面材配置溝４２は、中間横材２０ｂの室外側見付け面に装着された押縁材３６と中間横材２０ｂとの間でパネル２４を保持するものである。面材配置溝４２の開口とパネル２４の上縁部室内外両側面との間の隙間はシール材３２やタイト材３３等によって塞がれる。中間横材２０ｂの室外側見付け面にはカバー材３８が装着されている。ここでのカバー材３８は、空気導入孔４６や押縁材３６等を外観上で隠すものである。
【００３８】
図５及び図６に示すように、方立１８は、内部に矩形の中空部が形成されて室内側に突出配置される支柱部１８ａと、各横材２０ａ〜２０ｃの小口面が接合される連結部１８ｂとを有する。連結部１８ｂは、その左右見込み面が各横材２０ａ〜２０ｃに対面して開口した面材配置溝５０として構成されている。
【００３９】
面材配置溝５０は、スパンドレル部１０ａではパネル２４の側縁部が挿入配置され、ビジョン部１０ｂではガラス２２の側縁部が挿入配置される部分である。面材配置溝５０の開口とパネル２４又はガラス２２の側縁部室内外両側面との間の隙間はシール材３２やタイト材３３等によって塞がれる。連結部１８ｂの内部は、このような面材配置溝５０によって見付け方向（上下方向）に連通しており、空気や水が流通可能となっている。
【００４０】
この際、図５に示すように、上横材２０ａ及び下横材２０ｃと方立１８の接合部は、面材配置溝５０内が止水材５２によって塞がれており、見付け方向（長手方向）での空気や水の流通が阻止されている。具体的には、方立１８に接合される上横材２０ａ及び下横材２０ｃの面材配置溝２６に対応する部分の面材配置溝５０が止水材５２によって封止されている。これにより、上横材２０ａ及び下横材２０ｃの上側の方立１８から下降してきた空気や水が方立１８をさらに下側に流れることが防止される。
【００４１】
一方、図６に示すように、中間横材２０ｂと方立１８の接合部は、面材配置溝５０内に止水材５２が配置されておらず、見付け方向での空気や水の流通が許容されている。すなわち、方立１８に接合される中間横材２０ｂの小口端面も封止されずに開口している。
【００４２】
図８は、中間横材２０ｂ付近を拡大した一部切欠き斜視図であり、図９は、下横材２０ｃ（又は上横材２０ａ）付近を拡大した一部切欠き斜視図である。
【００４３】
以上のように構成されたカーテンウォール１０では、図１中に１点鎖線で示す矢印Ａのように、中間横材２０ｂを間に挟んだ上横材２０ａと下横材２０ｃとの間に方立１８を介して空気が流通可能な経路が連通形成される。すなわち、上階側の天井１６に対応する上横材２０ａと下階側の天井１６に対応する下横材２０ｃとの間が１単位となって空気の流通経路が形成される。そして、カーテンウォール１０では、この１単位の流通経路が上下左右方向に並列形成されることになる。
【００４４】
具体的には、中間横材２０ｂの空気導入孔４６から内部に導入された外気は、中間横材２０ｂの面材配置溝４０を見付け方向に流通して方立１８の面材配置溝５０に流入する。また下横材２０ｃの排水孔３４から内部に導入された外気は、下横材２０ｃの面材配置溝２６を見付け方向に流通して方立１８の面材配置溝５０における止水材５２の上部に流入する。さらに中間横材２０ｂの空気導入孔４６と下横材２０ｃの排水孔３４から方立１８の面材配置溝５０内に流入した空気は、上横材２０ａの面材配置溝２８を流通可能である。これにより中間横材２０ｂの空気導入孔４６と下横材２０ｃの排水孔３４は互いに空気が流通可能となっている。その結果、上記のような１単位の空気の流通経路が形成され（図１参照）、上横材２０ａ、中間横材２０ｂ及び下横材２０ｃの内部空間が等圧に近い状態となり、排水孔３４からの排水が促進される。
【００４５】
ところで、上横材２０ａと中間横材２０ｂと左右の方立１８，１８との間に取り付けられたパネル２４の外周縁部におけるシール材３２やタイト材３３の隙間から雨水等が内部に浸入することがある。同様に、中間横材２０ｂと下横材２０ｃと左右の方立１８，１８との間に取り付けられたガラス２２の外周縁部におけるシール材３２やタイト材３３の隙間からも雨水等が内部に浸入することがある。
【００４６】
このようにしてカーテンウォール１０の内部に浸入した雨水等は、図８に示すように方立１８の内部（面材配置溝５０）を下方に流通する（図８中に１点鎖線で示す矢印Ｗ参照）。方立１８内を下方に流通する雨水等は、図９に示すように方立１８の内部に設けられた止水材５２によってそれ以上の下方への流通が阻止されるため、今度は下横材２０ｃの面材配置溝２６を見付け方向に流通する。そして、この雨水等は最終的には下横材２０ｃの室外側面２６ａに形成された排水孔３４から室外に排出される（図９中に１点鎖線で示す矢印Ｗ参照）。なお、下横材２０ｃ（上横材２０ａ）の上側見込み面には排水穴５４が形成されている。排水穴５４から面材配置溝２６に落下した雨水等も排水孔３４から排出される。
【００４７】
この場合、当該カーテンウォール１０では、上横材２０ａ及び下横材２０ｃはそれぞれ、その室外側面２６ａに排水孔３４を有し、中間横材２０ｂは、その室外側面４０ａに空気導入孔４６を有する。この際、下横材２０ｃの排水孔３４及び中間横材２０ｂの空気導入孔４６は、縦材となる方立１８の内部空間を通して空気が流通可能に連通している。そして、中間横材２０ｂには、空気導入孔４６から内部に流入した水が方立１８の内部に流入することを防止する止水部材となるセッティングブロック４４が設けられている。
【００４８】
つまり、下横材２０ｃに排水孔３４を設けると共に中間横材２０ｂに空気導入孔４６を設け、これら排水孔３４と空気導入孔４６とを空気を流通可能に連通させている。このため、上横材２０ａ、中間横材２０ｂ及び下横材２０ｃの内部空間が等圧に近い状態となり、排水孔３４からの排水が一層促進されることになる。しかも、中間横材２０ｂには、空気導入孔４６から内部に流入した水が方立１８の内部に流入することを防止する止水部材としてのセッティングブロック４４を設けている。その結果、空気導入孔４６から中間横材２０ｂ内に浸入した雨水等が方立１８側に流入することが防止される。これにより、中間横材２０ｂに外気を導入して排水孔３４からの排水を促進するための空気導入孔４６を設けつつも、雨水等がカーテンウォール１０の内部に浸入して室内側に漏れることが防止され、安定した防水性能が確保される。
【００４９】
中間横材２０ｂに設けられる止水部材は、セッティングブロック４４を兼用するのではなく、例えばセッティングブロック４４の側方に止水用のシール材等を設けてもよい。但し、上記構成のように止水部材としてガラス２２の下端面を支持するセッティングブロック４４を兼用することで、別途のシール材等の部品コストやその設置コストを削減できる。
【００５０】
セッティングブロック４４は、ガラス２２の下端面を支持する面材支持部４４ａと、面材支持部４４ａから見込み方向に突出するように設けられた止水部４４ｂとを有する。そして面材支持部４４ａと止水部４４ｂとにより、面材配置溝４０における面材支持部４４ａの頂面４４ｃよりも低位置となる部分が塞がれている（図４参照）。従って、セッティングブロック４４によって面材配置溝４０を確実に塞いで見付け方向での水の流通を阻止することができる。
【００５１】
この際、当該カーテンウォール１０では、止水部４４ｂの頂面４４ｄは、面材支持部４４ａの頂面４４ｃよりも低く形成されている。これにより、セッティングブロック４４を介して面材配置溝４０内に貯留された水が嵩を増した場合には先に止水部４４ｂを乗り越えるため、面材支持部４４ａの頂面４４ｃ上に配置されているガラス２２やシール材３２が浸水することがない。このため、例えばガラス２２を網入りガラスや複層ガラスで構成した場合にその網や接着剤が浸水し、不具合を生じることを回避できる。特に、当該カーテンウォール１０では、空気導入孔４６の下縁部４６ａは、セッティングブロック４４の頂面（本実施形態では止水部４４ｂの頂面４４ｄ）よりも低位置にある。このため、上記のように面材配置溝４０内に止水部４４ｂを乗り越えるような量の水が貯留されること自体が回避される。
【００５２】
当該カーテンウォール１０では、上横材２０ａ及び下横材２０ｃと方立１８との間の接合部には該方立１８の長手方向での水の流通を防止する止水材５２が配設される一方、中間横材２０ｂと方立１８との接合部では該方立１８の長手方向での水の流通が許容されている。これにより、中間横材２０ｂの空気導入孔４６から導入された外気を方立１８を介して上下方向に円滑に流通させることができる。従って、ノックダウン型の構成でありながらも、上記のように上横材２０ａ、中間横材２０ｂ及び下横材２０ｃの内部空間を等圧に近い状態とし、排水孔３４からの排水を促進することができる。
【００５３】
なお、本発明は、上記した実施形態に限定されるものではなく、本発明の主旨を逸脱しない範囲で自由に変更できることは勿論である。
【符号の説明】
【００５４】
１０  カーテンウォール、１０ａ  スパンドレル部、１０ｂ  ビジョン部、１２  建物、１２ａ  境界部分、１２ｂ  居室空間、１８  方立、１８ａ  支柱部、１８ｂ  連結部、２０ａ  上横材、２０ｂ  中間横材、２０ｃ  下横材、２２  ガラス、２４  パネル、２６，２８，４０，４２，５０  面材配置溝、２６ａ，４０ａ  室外側面、３０，４４  セッティングブロック、３４  排水孔、４４ａ  面材支持部、４４ｂ  止水部、４４ｃ，４４ｄ  頂面、４６  空気導入孔、４６ａ  下縁部、５２  止水材
【図１】
2017101489.tif 000003
【図２】
2017101489.tif 000004
【図３】
2017101489.tif 000005
【図４】
2017101489.tif 000006
【図５】
2017101489.tif 000007
【図６】
2017101489.tif 000008
【図７】
2017101489.tif 000009
【図８】
2017101489.tif 000010
【図９】
2017101489.tif 000011